(57)【要約】【課題】棚装置８の取付作業を容易に行なえるようにする。【解決手段】前桟材１１を連結具１６を介してねじ２８を使用して横桟材９に取り付ける。その際、前部位置決め片２２を嵌合溝１３に嵌めると共に側部位置決め片２３の上面２３ｃを横桟材９の下面に当てると、前桟材１１の天板受け上面１１ａと横桟材９の天板受け上面９ａとが面一となるようになされている。その後、天板１２を横桟材９、後桟材１０及び前桟材１１に取り付ける。【選択図】  図２
2004230093.tif 000002
【特許請求の範囲】
【請求項１】
部屋の左右の側壁に取り付けられる左右一対の横桟材と、各横桟材の前端部に連結具を介して渡し止められる前桟材と、横桟材の天板受け上面及び前桟材の天板受け上面に取り付けられる天板とを有する棚装置において、前記前桟材の後面に左右方向に渡る嵌合溝が形成され、前記連結具が、前桟材の後面に当接する、前後方向に貫通するねじ挿通孔を有する前部垂直板と、前部垂直板に連設された、横桟材の内側側面に当接する、左右方向に貫通するねじ挿通孔を有する側部垂直板と、前部垂直板に連設された、嵌合溝に嵌まる前部位置決め片と、前部垂直板又は側部垂直板に連設された、横桟材の下面に当接する側部位置決め片とを有しており、前部位置決め片を嵌合溝に嵌めると共に側部位置決め片を横桟材の下面に当てると、前桟材の天板受け上面と横桟材の天板受け上面とが面一となるようになされている棚装置。
【請求項２】
前記連結具の前部位置決め片が前部垂直板の一部を切り起こして形成されたものであり、連結具の側部位置決め片が前部垂直板に連設され、この側部位置決め片が、前桟材の後面に当接する、前後方向に貫通するねじ挿通孔を有する前部と、前部に連設された、部屋の側壁に当接する、左右方向に貫通するねじ挿通孔を有する横部とを有している請求項１記載の棚装置。
【発明の詳細な説明】
【０００１】
【発明の属する技術分野】
本発明は棚装置に関する。
【０００２】
【従来の技術】
従来、この種の棚装置として以下の如きものは知られている。
部屋の左右の側壁に取り付けられる左右一対の横桟材と、各横桟材の前端部に平面形状Ｌ字状の連結具を介して渡し止められる前桟材と、横桟材の天板受け上面及び前桟材の天板受け上面に取り付けられる天板とを有するものは知られている。
【０００３】
【発明の目的】
本発明は、連結具に位置決め片を設けることにより、棚装置の取付作業を容易に行なえるようにすることを目的とするものである。
【０００４】
【前記目的を達成するための手段】
本発明は前記目的を達成するために以下の如き手段を採用した。
▲１▼請求項１の発明は、部屋の左右の側壁に取り付けられる左右一対の横桟材と、各横桟材の前端部に連結具を介して渡し止められる前桟材と、横桟材の天板受け上面及び前桟材の天板受け上面に取り付けられる天板とを有する棚装置において、前記前桟材の後面に左右方向に渡る嵌合溝が形成され、前記連結具が、前桟材の後面に当接する、前後方向に貫通するねじ挿通孔を有する前部垂直板と、前部垂直板に連設された、横桟材の内側側面に当接する、左右方向に貫通するねじ挿通孔を有する側部垂直板と、前部垂直板に連設された、嵌合溝に嵌まる前部位置決め片と、前部垂直板又は側部垂直板に連設された、横桟材の下面に当接する側部位置決め片とを有しており、前部位置決め片を嵌合溝に嵌めると共に側部位置決め片を横桟材の下面に当てると、前桟材の天板受け上面と横桟材の天板受け上面とが面一となるようになされているものである。
▲２▼請求項２の発明は、前記連結具の前部位置決め片が前部垂直板の一部を切り起こして形成されたものであり、連結具の側部位置決め片が前部垂直板に連設され、この側部位置決め片が、前桟材の後面に当接する、前後方向に貫通するねじ挿通孔を有する前部と、前部に連設された、部屋の側壁に当接する、左右方向に貫通するねじ挿通孔を有する横部とを有している請求項１記載のものである。
【０００５】
【発明の効果】
本発明は前記した如き構成によって以下の如き効果を奏する。
▲１▼請求項１の発明によれば、横桟材の前端部に連結具を介して前桟材を取り付けることにより、前部位置決め片及び側部位置決め片の作用により前桟材の天板受け上面と横桟材の天板受け上面とを面一とすることが出来るので、棚装置の取付作業を容易に行なうことが出来る。また、前部位置決め片が嵌まる凹所が左右方向に渡る嵌合溝であるので、施工現場に対応して前桟材の左右長さを調節するために前桟材を切断した場合でも前桟材に嵌合溝は残るので、前部位置決め片が嵌まる凹所を別個に形成する手間を省くことが出来る。即ち、前桟材に前部位置決め片が嵌まる凹所（後方に開放した孔）を形成するとした場合、前桟材を切断した後に、前桟材の、前部位置決め片が対向する部分に凹所を形成することが必要であるが、そのような手間が不要ということである。
▲２▼請求項２の発明によれば、側部位置決め片の横部を利用して、連結具を部屋の左右の側壁に強固に固定することが出来る。また、側壁に固定された横桟材の前端部及び側壁に連結具を取り付け、その後、前桟材を連結具に取り付けるようにした場合（後述の施工方法のように施工した場合）、側部位置決め片の横部を利用して連結具を部屋の左右の側壁にガタ付きなく強固に固定することが出来るので、前桟材の取り付けが行ないやすい。
【０００６】
【発明の実施の形態】
以下に本発明の実施の形態を説明する。
なお、この説明において、前とは図１紙面表側を、後とは同裏側をいい、左とは図１左側を、右とは同図右側をいう。
【０００７】
部屋１に窪み部２が形成され、この窪み部２は、左右の側壁３と、後の側壁４と、天井板（図示略）と床板（図示略）とによって囲まれ、前方が開放したものである。左右の側壁３の裏面及び後の側壁４の裏面の、後で詳述する棚装置８が取り付けられる高さ位置には、補強材５、６が取り付けられている。
【０００８】
前記窪み部２に設置される棚装置８は、左右の側壁３に長手方向を前後方向に向けるようにして取り付けられる、左右一対の横桟材９と、後の側壁４に長手方向を左右方向に向けるようにして取り付けられる後桟材１０と、各横桟材９の前端部に後で詳述する連結具１６を介して長手方向を左右方向に向けるようにして渡し止められる前桟材１１と、横桟材９の天板受け上面９ａ、後桟材１０の天板受け上面１０ａ及び前桟材１１の天板受け上面１１ａに取り付けられる天板１２とを有している。
【０００９】
前記前桟材１１の後面に左右方向に渡る嵌合溝１３が形成されている。
【００１０】
前記連結具１６は、前桟材１１の後面に当接する、前後方向に貫通する所要個のねじ挿通孔１８を有する前部垂直板１７と、前部垂直板１７に連設された、横桟材９の内側側面（窪み部２に臨む側面）に当接する、左右方向に貫通する所要個のねじ挿通孔２０を有する側部垂直板１９と、前部垂直板１７に連設された、本実施の形態では前部垂直板１７の一部を切り起こして形成された、嵌合溝１３に嵌まる前部位置決め片２２と、前部垂直板１７に連設された、横桟材９の下面に当接する側部位置決め片２３とを有している。
【００１１】
前記連結具１６の側部位置決め片２３は、前桟材１１の後面に当接する、前後方向に貫通するねじ挿通孔２５を有する前部２３ａと、前部２３ａに連設された、部屋１の側壁３に当接する、左右方向に貫通するねじ挿通孔２６を有する横部２３ｂとを有している。
【００１２】
前記前部位置決め片２２を嵌合溝１３に嵌めると共に平面形状Ｌ字状の側部位置決め片２３の上面２３ｃを横桟材９の下面に当てると、前桟材１１の天板受け上面１１ａと横桟材９の天板受け上面９ａとが面一となるようになされている。また、前記状態とすると、前桟材１１を正面から見た際、前桟材１１により連結具１６は隠蔽されるようになされている。
【００１３】
なお、詳細な図示を省略した右側の連結具１６は、左右方向中央に鏡面を左側に向けるようにして置いた鏡で左側の連結具１６を映したときに表われる像と同一の形状をしている。
【００１４】
【発明の実施の形態の施工方法】
次に発明の実施の形態の施工方法を説明する。
後桟材１０を後の側壁４にねじ（図示略）等の公知の手段により水平に取り付ける。
その後、後桟材１０の天板受け上面１０ａと横桟材９の天板受け上面９ａとが面一となるように、横桟材９を左右の側壁３にねじ（図示略）等の公知の手段により水平に取り付ける。
その後、横桟材９の前端部に連結具１６の側部垂直板１９をねじ２８を使用して取り付けると共に連結具１６の側部位置決め片２３の横部２３ｂを側壁３にねじ２８を使用して取り付ける。このようにして、連結具１６を横桟材９及び側壁３に強固に取り付けることが出来る。
その後、前桟材１１を連結具１６の前部垂直板１７及び側部位置決め片２３の前部２３ａにねじ２８を使用して取り付ける。
その後、天板１２を横桟材９、後桟材１０及び前桟材１１に取り付ける。天板１２は、横桟材９及び後桟材１０には天板１２の縁部上面に当てられた公知の雑巾摺り（図示略）もろとも隠し釘等（図示略）により固定され、前桟材１１にはダボ２９により固定される。
【００１５】
【変形例等】
以下に変形例等について説明を加える。
（１）本明細書において、ねじには、釘も含まれる。
（２）連結具１６は金属製が一般的であるが、それに限定されない。
（３）横桟材９、後桟材１０、前桟材１１及び天板１２の素材は、木質系素材が一般的であるが、それに限定されない。
（４）側部位置決め片の形状は任意である。また、側部位置決め片を側部垂直板に連設するようにしてもよい。
（５）前桟材１１は化粧框としての作用を有するものである。従って、少なくとも、前桟材１１の前面及び上面（天板受け上面１１ａを除く）は、化粧が施されている。
【図面の簡単な説明】
【図１】本発明の実施の形態を示す中間省略の要部正面図である。
【図２】図１のＩＩ−ＩＩ線断面図である。
【図３】図１のＩＩＩ−ＩＩＩ線断面図である。
【符号の説明】
１  部屋
２  窪み部
３  左右の側壁
４  後の側壁
８  棚装置
９  横桟材
１０  後桟材
１１  前桟材
１２  天板
１３  嵌合溝
１６  連結具
１７  前部垂直板
１８  ねじ挿通孔
１９  側部垂直板
２０  ねじ挿通孔
２２  前部位置決め片
２３  側部位置決め片
２５  ねじ挿通孔
２６  ねじ挿通孔
【図１】
2004230093.tif 000003
【図２】
2004230093.tif 000004
【図３】
2004230093.tif 000005